(57)【要約】【課題】  敷地外部側Ｙからの視線を十分に遮ることができるとともに、住宅内部側Ｘから敷地外部側Ｙへの見通しが良く、採光性の高い目隠し用格子構造１及び住宅を提供する。【解決手段】  目隠し用格子構造１は、一対の枠材３の間に複数の棒材７を配置し、住宅の敷地外部側Ｙから住宅内部側Ｘへの視線を遮る目隠し用格子構造体１において、前記棒材７は、前記住宅内部方向Ｘが前記敷地外部方向Ｙよりも幅広に形成されるとともに、互いに隣り合う前記縦材７の間隙を形成する面は光反射性シート１０を有する。【選択図】図２
2009263975.tif 000002
【特許請求の範囲】
【請求項１】
互いに距離をあけて略平行に配置された一対の枠材の間に、互いに略平行に配置された複数の棒材からなる格子体を具備し、住宅の敷地外側から当該住宅内部への視線を遮る目隠し用格子構造体において、
前記棒材は、その断面形状における前記住宅内部側が前記敷地外部側よりも幅広に形成されるとともに、隣り合う前記棒材相互の間隙を形成する面は光反射性を有することを特徴とする目隠し用格子構造体。
【請求項２】
前記棒材は、その断面形状が前記住宅内部側を下底とし、前記敷地外部側を上底とする台形に形成されることを特徴とする請求項１に記載の目隠し用格子構造体。
【請求項３】
互いに距離をあけて略平行に配置された一対の枠材の間に、複数の互いに略平行に配置された第１の棒材と、該第１の棒材に交差するように互いに略平行に複数配置された第２の棒材と、からなる格子体を具備し、住宅の敷地外側から当該住宅内部への視線を遮る目隠し用格子構造体において、
前記第１の棒材及び／又は前記第２の棒材は、その断面形状における前記住宅内部側が前記敷地外部側よりも幅広に形成されるとともに、
隣り合う前記第１の棒材及び／又は前記第２の棒材相互の間隙を形成する面は光反射性を有することを特徴とする目隠し用格子構造体。
【請求項４】
前記第１の棒材及び／又は前記第２の棒材は、その断面形状が前記住宅内部側を下底とし、前記敷地外部側を上底とする台形に形成されることを特徴とする請求項３に記載の目隠し用格子構造体。
【請求項５】
請求項１から請求項４のいずれかに記載の目隠し用格子構造体が、前記住宅の窓を覆う面格子、前記住宅の窓を開閉する格子窓、又は前記住宅の戸口を開閉する戸板であって、
前記面格子、前記格子窓、及び前記戸板の少なくともいずれかを備えることを特徴とする住宅。
【請求項６】
請求項１から請求項４のいずれかに記載の目隠し用格子構造体が、前記住宅の敷地境界を隔てるフェンスであって、
該フェンスを備えることを特徴とする住宅。
【発明の詳細な説明】
【技術分野】
【０００１】
この発明は、住宅の敷地外部から住宅内部への視線を遮る目隠し用格子構造体及びこの目隠し用格子構造体を具備する住宅に関する。
【背景技術】
【０００２】
従来より、窓や戸口等の住宅の開口部において、光や風を取り入れつつ外部側からの視線を遮るために、細い角材で形成された棒材を、鉛直方向を長手方向として複数本設置し、ほぼ水平な上枠および下枠により挟持する格子構造体を用いることが知られている（例えば非特許文献１)。そして隣接する棒材相互の間隙を狭くすることで、住宅の敷地外部から住宅内部への視線を遮りつつ、採光性及び通風性を確保することができる。
【０００３】
また、このような格子構造体において、より強度が必要な場合には、格子の目を形成する縦及び横の桟の断面形状を逆台形状に形成する発明が提案されている（例えば特許文献１)。
【非特許文献１】冨永りょう、「Digi Style 京都  知る学ぶ京都 京の町家 第７回 京町家のデザイン その１ 格子と町並み」、[online]、平成２０年３月２４日検索、大平印刷株式会社、インターネット〈ＵＲＬ：http://www.digistyle-kyoto.com/study/culture/machiya/machiya07.html〉
【特許文献１】特開平１０−６４０８号公報
【発明の開示】
【発明が解決しようとする課題】
【０００４】
ところで、上述のような格子構造体は、住宅の敷地外部側からの視線をより効果的に遮るために棒材の間隔を狭めると、住宅内部側からの見通しや採光性が悪くなるので問題である。一方、棒材の間隔を広げると、敷地外部側からの視線を十分に遮ることができず、プライバシーが侵害される虞がある。
【０００５】
そこで本発明は、住宅の敷地外部からの視線を十分に遮ることができるとともに、住宅内部から敷地外部への見通しが良く、採光性に優れた目隠し用格子構造体及び住宅を提供することを目的とする。
【課題を解決するための手段】
【０００６】
上記目的を達成するために、請求項１記載の目隠し用格子構造体は、互いに距離をあけて略平行に配置された一対の枠材の間に、互いに略平行に配置された複数の棒材からなる格子体を具備し、住宅の敷地外側から当該住宅内部への視線を遮る目隠し用格子構造体において、前記棒材は、その断面形状における前記住宅内部側が前記敷地外部側よりも幅広に形成されるとともに、隣り合う前記棒材相互の間隙を形成する面は光反射性を有することを特徴としている。
【０００７】
請求項２記載の目隠し用格子構造体は、前記棒材は、その断面形状が前記住宅内部側を下底とし、前記敷地外部側を上底とする台形に形成されることを特徴としている。
【０００８】
請求項３に記載の目隠し用格子構造体は、互いに距離をあけて略平行に配置された一対の枠材の間に、複数の互いに略平行に配置された第１の棒材と、該第１の棒材に交差するように互いに略平行に複数配置された第２の棒材と、からなる格子体を具備し、住宅の敷地外側から当該住宅内部への視線を遮る目隠し用格子構造体において、前記第１の棒材及び／又は前記第２の棒材は、その断面形状における前記住宅内部側が前記敷地外部側よりも幅広に形成されるとともに、隣り合う前記第１の棒材及び／又は前記第２の棒材相互の間隙を形成する面は光反射性を有することを特徴としている。
【０００９】
請求項４に記載の目隠し用講師構造体は、前記第１の棒材及び／又は前記第２の棒材は、その断面形状が前記住宅内部側を下底とし、前記敷地外部側を上底とする台形に形成されることを特徴としている。
【００１０】
請求項５記載の住宅は、請求項１から請求項４のいずれかに記載の目隠し用格子構造体が、前記住宅の窓を覆う面格子、前記住宅の窓を開閉する格子窓、又は前記住宅の戸口を開閉する戸板、であって、前記面格子、前記格子窓、及び前記戸板の少なくともいずれかを備えることを特徴としている。
【００１１】
請求項６記載の住宅は、請求項１から請求項４のいずれかに記載の目隠し用格子構造体が、前記住宅の敷地境界を隔てるフェンスであって、前記フェンスを備えることを特徴としている。
【発明の効果】
【００１２】
請求項１に記載の目隠し用格子構造体によると、棒材はその断面形状が住宅内部側が住宅の敷地外部側よりも幅広に形成されるので、互いに隣り合う棒材の間隙は敷地外部側に広がって形成されることとなる。したがって、住宅内部から敷地外部を見る場合には、比較的広い視界を得ることができ、敷地外部を見通すことができるが、敷地外部から住宅内部を見る場合には視界が狭くなり視線を遮ることができる。
【００１３】
また、隣り合う前記棒材相互の間隙を形成する面は光反射性を有するので、外光は棒材の間隙から直接住宅内部に入射する他に、棒材の間隙を形成する面に当った外光の一部が住宅内部に反射して入射するので、より効果的に住宅内部に光を取り入れることができる。また、棒材の間隙を形成する面に当った外光の他の部分は反射して住宅の敷地外部側に跳ね返ることとなるので、敷地外部から住宅内部を見た場合に棒材が他の部分に比べて明るく反射しているため、棒材よりも暗い住宅内部を見通すことを抑止することができる。
【００１４】
請求項２に記載の目隠し用格子構造体によると、棒材の断面が住宅内部側を下底とし、敷地外部側を上底とする台形に形成されている。すなわち、互いに隣接する棒材の間隙は、敷地外部側に広がって形成されるので、外光をよりいっそう受け入れ易い形状とすることができる。
【００１５】
請求項３に記載の目隠し用格子構造体によると、請求項１に記載の目隠し用格子構造体と同様に、第１の棒材及び／又は第２の棒材はその断面形状が住宅内部側が住宅の敷地外部側よりも幅広に形成されるので、互いに隣り合う第１の棒材及び／又は第２の棒材の間隙は敷地外部側に広がって形成されることとなり、住宅内部から敷地外部を見る場合には、比較的広い視界を得ることができ、敷地外部を見通すことができるが、敷地外部から住宅内部を見る場合には視界が狭くなり視線を遮ることができる。
【００１６】
また、隣り合う第１の棒材及び／又は第２の棒材相互の間隙を形成する面は光反射性を有するので、外光は第一の棒材及び第２の棒材の間隙から直接住宅内部に入射する他に、この間隙を形成する面に当った外光の一部が住宅内部に反射して入射し、より効果的に住宅内部に光を取り入れることができる。また、間隙を形成する面に当った外光の他の部分は反射して住宅の敷地外部側に跳ね返ることとなるので、敷地外部から住宅内部を見た場合に第１の棒材及び／又は第２の棒材が他の部分に比べて明るく反射しているため、比較的暗い住宅内部を見通すことを抑止することができる。
【００１７】
請求項４に記載の目隠し用格子構造体によると、請求項２に記載の目隠し用格子構造体と同様に、第１の棒材及び／又は第２の棒材の断面が住宅内部側を下底とし、敷地外部側を上底とする台形に形成されている。すなわち、互いに隣接する第１の棒材及び／又は第２の棒材の間隙は、敷地外部側に広がった平面状に形成されるので、外光をよりいっそう受け入れ易い形状とすることができる。
【００１８】
請求項５記載の住宅によると、請求項１から請求項４のいずれかに記載の目隠し用格子構造体が、住宅の窓を覆う面格子、住宅の窓を開閉する格子窓、又は住宅の出入り口を開閉する戸板であって、住宅には、これらの面格子、格子窓、及び戸板の少なくともいずれかが備わるので、住宅内部から住宅の敷地外部への見通しに優れるとともに、敷地外部から住宅内部への視線を遮ることができ、採光性に優れた住宅とすることができる。
【００１９】
請求項６記載の住宅によると、請求項１から請求項４のいずれかに記載の目隠し用格子構造体が、住宅敷地の境界線を隔てるフェンスであって、住宅には、このフェンスが備わるので、住宅内部から住宅の敷地外部への見通しに優れるとともに、敷地外部から住宅内部への視線を遮ることができる。
【発明を実施するための最良の形態】
【００２０】
この発明における目隠し用格子構造体１の第１の実施形態として、面格子２について図１から図４を参照しつつ説明する。面格子２は、図１及び図２に示すように、上枠３ａ及び下枠３ｂからなる一対の枠材３と、左右一対の側枠４と、上枠３ａ及び下枠３ｂの間に、鉛直方向を長手方向として、所定の間隔を開けて設けられた複数の棒材７からなる格子体６と、左右の側枠４からそれぞれ住宅内部側Ｘに突出して、目隠し用格子構造体１を支持しつつ、例えばビス８などによって、住宅１００の外壁１０１に固定される固定部９と、を備えており、住宅１００の外側から窓１０２を覆った状態で、当該窓１０２の窓枠１０３の側縁近傍の外壁１０１に固定部９を固定するものである。なお、この面格子２は、例えば木製、樹脂製、金属製などの種々の材料で形成することができる。また、この面格子２を構成する枠材３、側枠４、棒材７、及び固定部９は、例えば溶接や螺子を用いて螺着するなどの種々の方法により組み立てることができる。なお、図２においては、面格子２は、窓枠１０３から独立して設けられるものであるが、住宅１００の窓枠１０３と一体に形成されるものであっても良く、この場合でも、住宅１００の窓１０２を覆うことができる。
【００２１】
格子体６を構成する棒材７は、住宅内部側の面７ｂの幅を広く、敷地外部側の面７ａの幅を狭く形成した断面台形に形成されており、互いに隣り合う棒材７の間隙を形成する対向面には、例えば光透過性の高い樹脂に銀などの可視光線の反射率が高い金属をメッキした光反射性シート１０が貼着されている。このようにして複数の棒材７が配置されることにより、互いに隣り合う棒材７の間隙は、住宅内部側Ｘから敷地外部側Ｙに向かって広がって形成される。なお、光反射性シート１０は、金属をメッキした樹脂製に限定されるものではなく、棒材７にそのまま可視光の反射率が高い金属をメッキするものや、ガラス等の光透過性物質に可視光の反射率が高い金属をメッキするものなど、可視光をよく反射できる種々の光反射性シート１０を用いることができる。
【００２２】
このように面格子２を上述のような構成とすることで、隣り合う棒材７相互の間隙は、住宅内部側Ｘから敷地外部側Ｙに向かって広がって形成されるので、図３（ａ）に示すように住宅内部側Ｘから敷地外部側Ｙを見た場合の視界Ｅ１が広く、図３（ｂ）に示すように敷地外部側Ｙから住宅内部側Ｘを見た場合の視界Ｅ２が狭い。したがって、住宅内部側Ｘから敷地外部側Ｙは見通し易くなる一方、敷地外部側Ｙから住宅内部側Ｘを見通しにくくなるので、外部の者が住宅内部側Ｘを覗き見ることを抑制することができるとともに、住宅１００の居住者が住宅内部側Ｘから敷地外部側Ｙを見通すことができる。
【００２３】
また、このように互いに隣り合う棒材７の間隙が住宅内部側Ｘから敷地外部側Ｙに向かって広がっていることで、図４に示すように、広い角度から侵入する外光Ｌ１、Ｌ２を住宅内部側Ｘに取り込むことができる。特に、棒材７の間隙を形成する対向面に光反射性シート１０を貼着することで、棒材７の光反射性シート１０に当った外光Ｌ２が反射して、その一部が住宅内部側Ｘに侵入するので、より多くの外光Ｌ１、Ｌ２を住宅内部側Ｘに取り入れることができ、住宅１００内部を明るくすることができる。また、棒材７の間隙を形成する対向面に当った外光Ｌ２、Ｌ３のうち、住宅内部側Ｘに侵入しなかった外光Ｌ３は敷地外部側Ｙに反射される。したがって、敷地外部側Ｙから住宅内部側Ｘを見ると、棒材７の間隙を形成する対向面が明るく見えるので、棒材よりも暗い住宅内部側Ｘを敷地外部側Ｙから見通すことがより困難となる。
【００２４】
なお、棒材７の反射性シートが貼着された面と、住宅内部側の面７ｂとの間の角度は住宅１００の窓１０２の方角、相互に隣接する棒材７の間の距離、及び住宅デザイン全体との調和等の観点から任意に設計することができる。また、本実施形態において、棒材７の横断面形状は等脚台形に形成されているがこれに限定されるものではなく、例えば図５（ａ）に示すように、住宅１００の東側Ｅの窓１０２に取付ける面格子２にあっては、南東から入射する太陽光をより多く住宅１００内に取り入れることができるように、棒材７の南側の面１０ａの住宅内部側の面７ｂに対する角度Ａ１をより大きく、北側の面１０ｂの住宅内部側の面７ｂに対する角度Ａ２をより小さくすることもできる。このようにすると、南東側から入射した太陽光をより多く南側の面１０ａに当てることができるとともに、南側の面１０ａに当った光をより多く住宅内部側Ｘに取り入れることができる。また、例えば図５（ｂ）に示すように、道路に対面しない窓１０２に取付ける面格子２にあっては、道路方向からの視界Ｅ３をより効果的に遮るために、棒材７の道路方向の面１０ｃの住宅内部側の面７ｂに対する角度Ａ３をより小さくし、道路方向と反対側の面１０ｄの住宅内部側の面７ｂに対する角度Ａ４をより大きくすることもできる。
【００２５】
また、棒材７の断面形状は台形に限定されるものではなく、図６（ａ）に示すように、住宅内部側の面７ｂを平面とする断面半楕円形、図６（ｂ）に示すように、住宅内部側の面７ｂを平面とする断面半円形であっても良い。これらの場合は、棒材７の円弧面部分に光反射性シート１０を貼着する。更に、棒材７は、図６（ｃ）に示すように、住宅内部側の面７ｂを平面として、敷地外部側Ｙに尖った断面三角形であってもよく、更には、図６（ｄ）に示すように、互いに隣り合う棒材７の間隙を形成する面が複数の細かな段によって形成されるものであっても良い。いずれの形状のものとしても、互いに隣り合う棒材７の間隙は住宅内部側Ｘから敷地外部側Ｙに向かって広がって形成されることとなるので、敷地外部側Ｙから住宅内部側Ｘが見通しにくく、住宅内部側Ｘから敷地外部側Ｙが見通し易くなる。また、互いに隣り合う棒材７の間隙を形成する面に光反射性シート１０を貼着しているので、外光をより多く取り入れることができる。
【００２６】
なお、本実施形態において、面格子２は、上枠３ａ及び下枠３ｂの一対の枠材３と左右一対の側枠４とを備えるものであるが、これに限定されるものではなく、左右一対の側枠４を備えない構成とすることもできる。すなわち、図７に示すように、上枠３ａ及び下枠３ｂの間に所定の間隔を開けて複数の棒材７を設置し、上枠３ａ及び下枠３ｂの両端からそれぞれ住宅１００の外壁１０１に固定される固定部９を突出させる構成としても良い。このように構成しても、住宅１００の外側から窓１０２を覆った状態で、当該窓１０２の窓枠１０３の側縁近傍の外壁１０１に固定部９を固定することができ、上述の実施形態の場合と同様に、敷地外部側Ｙから住宅内部側Ｘへの視線を遮ることができるとともに、住宅内部側Ｘから敷地外部側Ｙへの見通しを確保することができる。
【００２７】
また、、本実施形態において面格子２は、敷地外部側Ｙから住宅１００の窓１０２を覆うように構成したが、これに限定されるものではなく、住宅内部側Ｘから住宅１００の窓１０２を覆うように構成してもよい。このような場合にも図８に示すように、複数も受けられた棒材７の断面形状を、住宅内部側を幅広に、敷地外部側Ｙを幅狭に形成することで、より多くの外光を住宅１００内部に取り入れつつ、敷地外部側Ｙから住宅内部側Ｘへの視線を遮ることができるとともに、住宅内部側Ｘから敷地外部側Ｙへの見通しを確保することができる。
【００２８】
また、本実施形態においては面格子２の格子体６を構成する棒材７は、上枠３ａ及び下枠３ｂの間に鉛直方向を長手方向として、略平行に複数配置されるものについて説明したが、これに限定されるものではなく、例えば図９（ａ）に示すように、水平方向を長手方向として複数配置されるものでも良い。すなわち、一対の枠材３を構成する右枠３ｃ及び左枠３ｄに棒材７の両端をそれぞれ固定して、棒材７の断面形状を住宅内部側Ｘが幅広で、敷地外部側Ｙが幅狭な台形に形成してもよい。
【００２９】
また、格子体６は、複数の棒材７を平行に配置するもののみならず、例えば図９（ｂ）（ｃ）に示すように、互いに略平行に配置された第１の棒材７１と第２の棒材７２とを交差するように配置したものであっても良い。すなわち、図９（ｂ）に示すように、鉛直方向を長手方向として複数の第１の棒材７１を上枠３ａ及び下枠３ｂに両端を固定しつつ配置し、この第１の棒材７１と略直交するように第２の棒材７２を水平方向を長手方向として複数配置するものであっても良い。この場合、第１の棒材７１及び第２の棒材７２のいずれか一方又は双方が、住宅内部側Ｘを幅広に、敷地外部側Ｙを幅狭に形成することで、上述の実施形態の面格子２と同様に、より多くの外光を住宅１００内部に取り入れつつ、敷地外部側Ｙから住宅内部側Ｘへの視線を遮ることができるとともに、住宅内部側Ｘから敷地外部側Ｙへの見通しを確保することができる。同様に、図９（ｃ）に示すように、第１の棒材７１及び第２の棒材７２を互いに交差するように傾斜させて複数は位置するものであっても良い。この場合も第１の棒材７１及び第２の棒材７２のいずれか一方又は双方が、住宅内部側Ｘを幅広に、敷地外部側Ｙを幅狭に形成することで、上述の効果を奏することができる。
【００３０】
なお、上述のいずれの実施形態においても、棒材７は、互いに隣接する棒材７相互の間隙を形成する面に光反射性シート１０を貼付するものであり、第１の棒材７１及び第２の棒材のいずれか一方又は双方も同様に、間隙を形成する面に光反射シート１０を貼付するものである。
【００３１】
次に、本発明の目隠し用格子構造体１の第２の実施形態としての格子戸板１１について、図１０及び図１１を参照しつつ、説明する。なお、第１の実施形態の面格子２と同一の構成については、同一の符号を付して説明を省略する。格子戸板１１は、上枠３ａ及び下枠３ｂと左右一対の側枠４と、左右一対の側枠４の間に架け渡される複数の横桟１２と、複数の横桟１２相互の間、上枠３ａと隣接する横桟１２との間、及び下枠３ｂと隣接する横桟１２との間に鉛直方向を長手方向としてそれぞれ複数設置される棒材７からなる格子体６と、所定の横桟１２と隣接する横桟１２との間に取付けられたすりガラス１３と、を備えており、住宅１００の戸口１０４を開閉することができるとともに、戸口１０４を閉じた状態でも通風及び採光を図ることができるものである。
【００３２】
棒材７は、第１の実施形態の面格子２と同様に、その横断面形状が住宅内部側の面７ｂを下底として敷地外部側の面７ａを上底とする台形に形成されており、互いに隣接する棒材７の間隙は、敷地外部側Ｙが住宅内部側Ｘよりも幅広になっている。また、棒材７の間隙を形成する対向面には、光反射性シート１０が貼着られている。このように構成されることで、格子戸板１１は、住宅１００の戸口１０４を閉じた状態のときに、敷地外部側Ｙから住宅内部側Ｘへの視線を遮りつつ、住宅内部側Ｘから敷地外部側Ｙへの見通しを確保することができ、また、外光を住宅内部側Ｘに取り入れることができる。
【００３３】
格子戸板１１を用いて住宅１００の戸口１０４を閉じるときには、側枠４に設けられた把持孔１４を持って、図９（ａ）に示すように、格子戸板１１の下面に形成されたレールに沿って格子戸板１１をスライドさせて、住宅１００の戸口１０４を閉鎖させる。そして、住宅１００の戸口１０４を開くときには、図９（ｂ）に示すように格子戸板１１をスライドさせて、戸袋１０６に収納させることで、戸口１０４を開く。
【００３４】
なお、本実施形態における格子戸板１１は、住宅１００の出入り口である戸口１０４に設けられるものとしたが、本発明の目隠し用格子構造体１はこれに限定されるものではなく、例えば図１２及び図１３に示すように、住宅１００の窓１０２の窓枠１０３に嵌め込まれる格子窓１５とすることもでき、窓１０２の窓枠１０３に沿って格子窓１５をスライドすることで窓１０２を開閉することができる構成としてもよい。また、格子窓の構成は、従来の窓ガラスと格子窓１５とを重ねて窓枠１０３にはめ込んだ窓１０２であっても良い。このように構成すると、窓ガラス及び格子窓１５を閉じた状態、窓ガラスを開けて格子窓１５を閉じた状態、窓ガラスを閉じて格子窓１５を開けた状態、窓ガラス及び格子窓１５を開けた状態など、外部の温度や光の状態などに応じて様々な状態を選択することができる。
【００３５】
また、本実施形態の格子戸板１１は、戸袋１０６に収納される片引き戸として説明したが、これに限定されるものではなく、２枚の格子戸板１１がそれぞれスライドして戸口１０４を開閉することができる引き違い戸や、蝶番などにより格子戸板１１を敷地外部側Ｙ又は住宅内部側Ｘに開く開き戸などの種々の格子戸における格子戸板１１として用いることができる。
【００３６】
次に、本発明の目隠し用格子構造体１の第３の実施形態としてのフェンス１６について、図１４及び図１５を参照しつつ説明する。なお、第１の実施形態と同一の構成については同一の符号を付して説明を省略する。図１４に示すように、フェンス１６は、住宅１００の敷地境界１０５に沿って設置されるものであり、敷地境界１０５に複数設置された支柱１７に架け渡される上枠３ａ及び下枠３ｂと、この上枠３ａ及び下枠３ｂの間に複数設置される棒材７と、を備える。
【００３７】
棒材７は、第１の実施形態の面格子２と同様に、その横断面形状が住宅内部側の面７ｂを下底として敷地外部側の面７ａを上底とする台形に形成されており、互いに隣り合う棒材７の間隙は、住宅内部側Ｘから敷地外部側Ｙに向かって広がって形成されている。また、棒材７の間隙を形成する対向面には、光反射性シート１０が貼着られている。このように構成されることで、フェンス１６は、敷地外部側Ｙから住宅内部側Ｘへの視線を遮りつつ、住宅内部側Ｘから敷地外部側Ｙへの見通しを確保することができる。
【００３８】
なお、本発明の実施の形態は上述の形態に限ることなく、本発明の思想の範囲を逸脱しない範囲で適宜変更することができることは云うまでもない。
【００３９】
棒材７、第１の棒材７１、及び第２の棒材の断面形状の種々の変形例については、図４から図６に示すように、面格子２の変形例についてのみ説明したが、目隠し用格子構造体１の格子戸板１１、格子窓１５及びフェンス１６においても適用することができる。また、棒材７、第１の棒材７１、及び第２の棒材からなる格子体６の変形例についても、図９に示すように、面格子２の変形例として説明したが、目隠し用格子構造体１の格子戸板１１、格子窓１５及びフェンス１６のいずれにおいても適用することができる。
【００４０】
また、上述のように目隠し用格子構造体１の実施形態として、面格子２、格子戸板１１、格子窓１５及びフェンス１６について説明したが、目隠し用格子構造体１はこれに限定されるものではなく、一方からの視線を遮りつつ他方からの見通しを確保することができる様々な部材に適用することができる。
【００４１】
なお、上述のような目隠し用格子構造体１は、戸建住宅、集合住宅、その他の人の居住する種々の住宅１００において用いることができる。
【産業上の利用可能性】
【００４２】
本発明に係る目隠し用格子構造体１は、例えば窓１０２や戸口１０４などの住宅１００の開口部に用いられる面格子２、格子戸板１１、及び住宅１００の敷地境界１０５に設置されるフェンス１６として、好適に用いることができる。
【図面の簡単な説明】
【００４３】
【図１】目隠し用格子構造体の第１の実施形態としての面格子を示す一部省略斜視図。
【図２】図１のＡ−Ａ断面を９０度回転させて、住宅の窓を覆うように面格子を固定する状態を示す断面図。
【図３】（ａ）は、住宅内部から敷地外部への視線を説明する棒材の拡大断面図、（ｂ）は、敷地外部から住宅内部への視線を説明する棒材の拡大断面図。
【図４】敷地外部から住宅内部に侵入する外光を説明する棒材の拡大断面図。
【図５】（ａ）は、別の台形断面形状を有する棒材が外光を受け入れる状態を説明する図、（ｂ）は、別の台形断面形状を有する棒材が敷地外部から住宅内部への視線を遮る状態を説明する図。
【図６】棒材の形状が異なる種々の面格子を示す断面図。
【図７】左右一対の側枠の無い面格子を示す斜視図。
【図８】住宅内部側から住宅の窓を覆う構成の面格子を示す断面図。
【図９】（ａ）は水平方向を長手方向として棒材が配置される場合の面格子を示す斜視図、（ｂ）は水平方向を長手方向として配置される第１の棒材と水平方向を長手方向として配置される第２の棒材とが組み合わさって格子体を形成する場合の面格子を示す斜視図、（ｃ）は互いに交差するように傾斜して第１の棒材及び第２の棒材が配置された場合の面格子を示す斜視図。
【図１０】目隠し用格子構造体の第２の実施形態としての格子戸板を示す斜視図。
【図１１】（ａ）は住宅の戸口を閉じた状態を示す断面図、（ｂ）は住宅の戸口を開いた状態を示す断面図、（ｃ）は（ａ）の一部拡大断面図。
【図１２】目隠し用格子構造体の一例としての格子窓の外観を示す斜視図。
【図１３】窓を閉めた状態の格子窓の形状を示す断面図。
【図１４】目隠し用格子構造体の第３の実施形態としてのフェンスを示す斜視図。
【図１５】フェンスの断面形状を示す一部拡大断面図。
【符号の説明】
【００４４】
１        目隠し用格子構造体
２        面格子
３        一対の枠材
６        格子体
７        棒材
１０      光反射性シート
１１      格子戸板（戸板）
１５      格子窓
１６      フェンス
１０２    窓
１０４    戸口
１０５    敷地境界
Ｘ        住宅内部側
Ｙ        敷地外部側
【図１】
2009263975.tif 000003
【図２】
2009263975.tif 000004
【図３】
2009263975.tif 000005
【図４】
2009263975.tif 000006
【図５】
2009263975.tif 000007
【図６】
2009263975.tif 000008
【図７】
2009263975.tif 000009
【図８】
2009263975.tif 000010
【図９】
2009263975.tif 000011
【図１０】
2009263975.tif 000012
【図１１】
2009263975.tif 000013
【図１２】
2009263975.tif 000014
【図１３】
2009263975.tif 000015
【図１４】
2009263975.tif 000016
【図１５】
2009263975.tif 000017